(57)【特許請求の範囲】
【請求項１】
ユーザ機器がＳＵ−ＭＩＭＯ伝送モードで動作するか、あるいはＭＵ−ＭＩＭＯ伝送モードで動作するかを判別する手段と、
前記ユーザ機器が前記ＳＵ−ＭＩＭＯ伝送モードで動作すると判別されたことに応答して、ＳＵ−ＭＩＭＯ  ＯＬＬＡオフセットを、内側ループリンクアダプテーションによって調整された信号対干渉及びノイズ比率に適用する手段と、
前記ユーザ機器が前記ＭＵ−ＭＩＭＯ伝送モードで動作すると判別されたことに応答して、ＭＵ−ＭＩＭＯ  ＯＬＬＡオフセットを、内側ループリンクアダプテーションによって調整された信号対干渉及びノイズ比率に適用する手段と、
を備え、
前記ＭＵ−ＭＩＭＯ  ＯＬＬＡオフセットは、前記ＳＵ−ＭＩＭＯ  ＯＬＬＡオフセットとユーザ間干渉を示す余剰オフセットとに基づいており、
前記ユーザ機器から報告されたパケットのＡＣＫ／ＮＡＣＫメッセージの受信に応答して前記ＳＵ−ＭＩＭＯ  ＯＬＬＡオフセットと前記余剰オフセットとを更新する手段をさらに備える、
無線通信システムにおけるリンクアダプテーション装置。
【請求項２】
各伝送層について、それぞれＳＵ−ＭＩＭＯ  ＯＬＬＡオフセットと余剰オフセットとを保持する手段をさらに備える、
請求項１に記載の装置。
【請求項３】
前記ＳＵ−ＭＩＭＯ  ＯＬＬＡオフセットと前記余剰オフセットとを更新する手段が、
前記ユーザ機器が前記ＳＵ−ＭＩＭＯ伝送モードで動作すると判別されたことに応答して、
前記ユーザ機器が単一の伝送層で構成されるか、あるいは複数の伝送層で構成されるかを判別し、
前記ユーザ機器が単一の伝送層で構成されると判別されたことに応答して、前記ユーザ機器を構成する全ての伝送層のＳＵ−ＭＩＭＯ  ＯＬＬＡオフセットを更新し、
前記ユーザ機器が複数の伝送層で構成されると判別されたことに応答して、前記ＡＣＫ／ＮＡＣＫメッセージの報告に用いられた伝送層のＳＵ−ＭＩＭＯ  ＯＬＬＡオフセットを更新するように構成された、
請求項２に記載の装置。
【請求項４】
前記ＳＵ−ＭＩＭＯ  ＯＬＬＡオフセットと前記余剰オフセットとを更新する手段が、
前記ユーザ機器が前記ＭＵ−ＭＩＭＯ伝送モードで動作すると判別されたことに応答して、
前記ユーザ機器が単一の伝送層で構成されるか、あるいは複数の伝送層で構成されるかを判別し、
前記ユーザ機器が単一の伝送層で構成されると判別されたことに応答して、前記ユーザ機器を構成する全ての伝送層のＳＵ−ＭＩＭＯ  ＯＬＬＡオフセットと前記余剰オフセットとを更新し、
前記ユーザ機器が複数の伝送層で構成されると判別されたことに応答して、前記ＡＣＫ／ＮＡＣＫの報告に用いられた伝送層の余剰オフセットを更新するように構成された、
請求項２に記載の装置。
【請求項５】
前記ＳＵ−ＭＩＭＯ  ＯＬＬＡオフセットと前記余剰オフセットとを更新する手段が、
前記ユーザ機器から報告されたＡＣＫを受信したことに応答して、少なくとも１つのオフセットを、第１更新ステップサイズだけ更新されるように増加させ、
前記ユーザ機器から報告されたＮＡＣＫを受信したことに応答して、少なくとも１つのオフセットを、第２更新ステップサイズだけ更新されるように減少させるように構成された、
請求項１から４の何れか１項に記載の装置。
【請求項６】
前記余剰オフセットを、リソースブロックに共にスケジュールされたユーザ機器の直交性を示す指標によって調整する手段をさらに備える、
請求項１に記載の装置。
【請求項７】
ＯＬＬＡで調整したＳＩＮＲに基づいて実効ＳＩＮＲを計算する手段と、
前記実効ＳＩＮＲに基づいて変調符号化方法を決定する手段と、
をさらに備える、
請求項１に記載の装置。
【請求項８】
ユーザ機器がＳＵ−ＭＩＭＯ伝送モードで動作するか、あるいはＭＵ−ＭＩＭＯ伝送モードで動作するかを判別することと、
前記ユーザ機器が前記ＳＵ−ＭＩＭＯ伝送モードで動作すると判別されたことに応答して、ＳＵ−ＭＩＭＯ  ＯＬＬＡオフセットを、内側ループリンクアダプテーションによって調整された信号対干渉及びノイズ比率に適用することと、
前記ユーザ機器が前記ＭＵ−ＭＩＭＯ伝送モードで動作すると判別されたことに応答して、ＭＵ−ＭＩＭＯ  ＯＬＬＡオフセットを、内側ループリンクアダプテーションによって調整された信号対干渉及びノイズ比率に適用することと、
を含み、
前記ＭＵ−ＭＩＭＯ  ＯＬＬＡオフセットは、前記ＳＵ−ＭＩＭＯ  ＯＬＬＡオフセットとユーザ間干渉を示す余剰オフセットとに基づいており、
前記ＳＵ−ＭＩＭＯ  ＯＬＬＡオフセットと前記余剰オフセットとは、前記ユーザ機器から報告されたパケットのＡＣＫ／ＮＡＣＫメッセージの受信に応答して更新される、
無線通信システムにおけるリンクアダプテーションの方法。
【請求項９】
少なくとも１つのプロセッサと、
コンピュータプログラムコードを含む少なくとも１つのメモリと、
を備え、
少なくとも１つのメモリと前記コンピュータプログラムコードとは、少なくとも１つの前記プロセッサと共に、請求項８に記載のリンクアダプテーションの方法を実行するように構成された、
無線通信システムにおける基地局。
【請求項１０】
請求項９に記載の基地局を備える、
無線通信システム。
【発明の詳細な説明】
【技術分野】
【０００１】
本発明は、一般に通信システムに関し、特に無線通信システムにおける外側ループリンクアダプテーション（ＯＬＬＡ、Ｏｕｔｅｒ  Ｌｏｏｐ  Ｌｉｎｋ  Ａｄａｐｔａｔｉｏｎ）のための方法及び装置に関する。
【背景技術】
【０００２】
ＬＴＥ（Ｌｏｎｇ  Ｔｅｒｍ  Ｅｖｏｌｕｔｉｏｎ）／ＬＴＥ−Ａ（ＬＴＥ−Ａｄｖａｎｃｅｄ）の３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）規格は、第３世代テクノロジーのエヴォリューション・スタンダードにおける偉大な成功として知られ、より広い帯域幅とより短い待機時間とより良い品質（Ｑｏｓ、ｑｕａｌｉｔｙ  ｏｆ  ｓｅｒｖｉｃｅ）保証とを提供できる新しい進化する無線アクセス技術における新しい一連の仕様を創出することを目的とする。
【０００３】
ＬＴＥ／ＬＴＥ−Ａシステムのようなセルラー方式通信システムにおいて、無線チャネル時間変動を抑制するためにＡＭＣ（Ａｄａｐｔｉｖｅ  Ｍｏｄｕｌａｔｉｏｎ  Ｃｏｄｉｎｇ）技術が採用されている。いわゆる内側ループリンクアダプテーション（外側ループリンクアダプテーションではなく）の方法では、ＣＱＩ（Ｃｈａｎｎｅｌ  Ｑｕａｌｉｔｙ  Ｉｎｄｉｃａｔｏｒ）のような定量化されたチャネル品質の指標がユーザ機器（ＵＥ，Ｕｓｅｒ  Ｅｑｕｉｐｍｅｎｔ）からｅＮＢ（ｅＮｏｄｅ  Ｂ）のような対応する基地局へ報告されることが知られている。このｅＮＢは、ユーザ機器のＳＩＮＲ（Ｓｉｇｎａｌ  ｔｏ  Ｉｎｔｅｒｆｅｒｅｎｃｅ  Ｐｌｕｓ  Ｎｏｉｓｅ  Ｒａｔｉｏ，シグナル対干渉及びノイズ比率）を、ＣＱＩのような報告されたチャネル品質の指標に基づいて概算する。ｅＮＢは、ＳＩＮＲのレベルとＭＣＳ（Ｍｏｄｕｌａｔｉｏｎ  ａｎｄ  Ｃｏｄｉｎｇ  Ｓｃｈｅｍｅ）との間のマッピング関係を予め定めている。このため、ｅＮＢは、ユーザ機器のアップリンク／ダウンリンク通信のための適切なＭＣＳを、概算されたＳＩＮＲと所定のＳＩＮＲの閾値とを比較することによって決定できる。
【０００４】
しかしながら、概算されたＳＩＮＲは、ＣＱＩの概算誤差、ＣＱＩの報告及び処理の遅延等のモデル化されていない干渉及び誤差のせいで不正確かもしれない。この結果、不適切なＭＣＳが選択され、そのせいでシステムのスペクトル効率が低下する。
【０００５】
内側ループリンクアダプテーションの処理において起こりうる上記の不正確を補償する有効な手法として、いわゆるＯＬＬＡ（Ｏｕｔｅｒ  Ｌｏｏｐ  Ｌｉｎｋ  Ａｄａｐｔａｔｉｏｎ）が採用され、概算されたＳＩＮＲにオフセットを加算する。このＯＬＬＡオフセットは、ユーザ機器によって報告された、伝送されたパケットのＡＣＫ（ａｃｋｎｏｗｌｅｄｇｅｍｅｎｔ）又はＮＡＣＫ（ｎｏｎ−ａｃｋｎｏｗｌｅｄｇｅｍｅｎｔ）に基づいて調整される。従って、累積されたＦＥＲ（Ｆｒａｍｅ  Ｅｒｒｏｒ  Ｒａｔｅ）を所定値の近傍に保つことを促進できる。ＯＬＬＡで調整したＳＩＮＲを用いたＭＣＳの選択は、より正確であり、従って通信システムのスペクトル効率が改善される。
【０００６】
いくつかの無線通信シナリオ、例えば、ＬＴＥ  Ｒｅｌｅａｓｅ  ９及び１０のＴｒａｎｓｍｉｓｓｉｏｎ  Ｍｏｄｅ  ８は、ユーザ機器が、ＳＵ−ＭＩＭＯ（Ｓｉｎｇｌｅ−Ｕｓｅｒ  Ｍｕｌｔｉｐｌｅ  Ｉｎｐｕｔ  Ｍｕｌｔｉｐｌｅ  Ｏｕｔｐｕｔ）伝送モードとＭＵ−ＭＩＭＯ（Ｍｕｌｔｉ−Ｕｓｅｒ  Ｍｕｌｔｉｐｌｅ  Ｉｎｐｕｔ  Ｍｕｌｔｉｐｌｅ  Ｏｕｔｐｕｔ）伝送モードとの間で動的に切り替わることを許容する。ユーザ機器において生起するＳＵ−ＭＩＭＯとＭＵ−ＭＩＭＯとがインターレースした伝送ピリオドのせいで、既存のＯＬＬＡ手法では両方の伝送モードのＳＩＮＲオフセットに効果的に追随することができない。さらに、ユーザ機器を動的にペアリングすることによりＭＵ−ＭＩＭＯ伝送モードに可変的なユーザ間干渉が導入されるのだが、既存のＯＬＬＡ手法ではこれが考慮に入れられていない。
【０００７】
上記の事実を鑑みると、既存のＯＬＬＡ手法は、ユーザ機器がＳＵ−ＭＩＭＯ伝送モードとＭＵ−ＭＩＭＯ伝送モードとを切り替えることを許容するシナリオにおいて効果的ではない。
【発明の概要】
【発明が解決しようとする課題】
【０００８】
先行技術が有する課題を解決するため、本発明の１又は複数の実施形態に係る方法及び装置は、混在するＳＵ−ＭＩＭＯ伝送モードとＭＵ−ＭＩＭＯ伝送モードとが支持されている適用シナリオにおける無線通信システムのＯＬＬＡ手法を提供することと、より信頼性の高いＭＣＳ推定を提供しシステム全体を改善することと、を目的とする。
【課題を解決するための手段】
【０００９】
本発明の一側面によれば、本発明の一実施形態は、無線通信システムにおけるリンクアダプテーションの方法を提供する。この方法は、ユーザ機器がＳＵ−ＭＩＭＯ伝送モードで動作するか、あるいはＭＵ−ＭＩＭＯ伝送モードで動作するかを判別することと、前記ユーザ機器が前記ＳＵ−ＭＩＭＯ伝送モードで動作すると判別されたことに応答して、ＳＵ−ＭＩＭＯ  ＯＬＬＡオフセットを、内側ループリンクアダプテーションによって調整された信号対干渉及びノイズ比率に適用することと、前記ユーザ機器が前記ＭＵ−ＭＩＭＯ伝送モードで動作すると判別されたことに応答して、ＭＵ−ＭＩＭＯ  ＯＬＬＡオフセットを、内側ループリンクアダプテーションによって調整された信号対干渉及びノイズ比率に適用することと、を含み、前記ＭＵ−ＭＩＭＯ  ＯＬＬＡオフセットは、前記ＳＵ−ＭＩＭＯ  ＯＬＬＡオフセットとユーザ間干渉を示す余剰オフセットとに基づいており、前記ＳＵ−ＭＩＭＯ  ＯＬＬＡオフセットと前記余剰オフセットとは、前記ユーザ機器から報告されたパケットのＡＣＫ／ＮＡＣＫメッセージの受信に応答して更新される。
【００１０】
本発明の他の側面によれば、本発明の一実施形態は、無線通信システムにおけるリンクアダプテーション装置を提供する。この装置は、ユーザ機器がＳＵ−ＭＩＭＯ伝送モードで動作するか、あるいはＭＵ−ＭＩＭＯ伝送モードで動作するかを判別する手段と、前記ユーザ機器が前記ＳＵ−ＭＩＭＯ伝送モードで動作すると判別されたことに応答して、ＳＵ−ＭＩＭＯ  ＯＬＬＡオフセットを、内側ループリンクアダプテーションによって調整された信号対干渉及びノイズ比率に適用する手段と、前記ユーザ機器が前記ＭＵ−ＭＩＭＯ伝送モードで動作すると判別されたことに応答して、ＭＵ−ＭＩＭＯ  ＯＬＬＡオフセットを、内側ループリンクアダプテーションによって調整された信号対干渉及びノイズ比率に適用する手段と、を備え、前記ＭＵ−ＭＩＭＯ  ＯＬＬＡオフセットは、前記ＳＵ−ＭＩＭＯ  ＯＬＬＡオフセットとユーザ間干渉を示す余剰オフセットとに基づいており、前記ユーザ機器から報告されたパケットのＡＣＫ／ＮＡＣＫメッセージの受信に応答して前記ＳＵ−ＭＩＭＯ  ＯＬＬＡオフセットと前記余剰オフセットとを更新する手段をさらに備える。
【００１１】
本発明の他の側面によれば、本発明の一実施形態は、本発明の一実施形態に係るリンクアダプテーションの方法を実行する、無線通信システムにおける基地局を提供する。
【００１２】
本発明の他の側面によれば、本発明の一実施形態は、本発明の一実施形態に係る基地局を備える無線通信システムを提供する。
【００１３】
本発明の特徴と見なされる発明的特徴は、付属の請求項によって定義される。しかしながら、本発明、その実施形態、その他の目的、特徴、及び長所は、以下の実施形態に関する詳細な説明を、付属する図を参照しながら読むことによってより良く理解されるであろう。
【図面の簡単な説明】
【００１４】
【図１】本発明の一実施形態に係るリンクアダプテーション及び符号化適応の手順のフローチャートである。
【図２】本発明の一実施形態に係る外側ループリンクアダプテーションの方法のフローチャートである。
【図３】本発明の一実施形態に係るＯＬＬＡオフセット生成モジュールの模式的ブロック図である。
【図４】本発明の一実施形態に係るＯＬＬＡオフセットを更新する手順のフローチャートである。
【図５】本発明の一実施形態に係るｅＮＢ装置の模式的ブロック図である。
【発明を実施するための形態】
【００１５】
以下、本発明の実施形態を、付属の図を参照しながら説明する。以下の説明では、本発明をより完全に理解できるように、多くの特定のディテールが例示される。しかしながら、当業者には、本発明の実施例がこれらのディテールを有さない場合があることは明らかである。さらに、本発明はここで示す特定の実施形態に限定されるものではないことを理解されたい。逆に、以下の特徴及び要素の任意の組合せは、それらの特徴及び要素が異なる実施形態を含むか否かに関わらず、本発明の実施形態として見なしうる。このように、以下の側面、特徴、実施形態、及び長所は、例示を目的とするものに過ぎず、請求項において別段の規定が明白になされていない限り、付属の請求項の要素又は制限と解されるべきではない。
【００１６】
図１は、本発明の一実施形態に係るリンクアダプテーション及び符号化適応の手順のフローチャートを例示している。
【００１７】
ステップＳ１００において、ｅＮＢにおけるリンクアダプテーション及び符号化適応の処理が開始される。
【００１８】
ステップＳ１１０において、ユーザ機器に割り当てられた各ＲＢのユーザ機器固有のＳＩＮＲが、ユーザ機器から報告されたＣＱＩのようなチャネル品質の定量化された指標に基づいて概算される。
【００１９】
ＭＩＭＯ技術を用いるセルラー方式通信システムにおいて、伝送側と受信側の双方において複数のアンテナが用いられる。帯域幅が制限されているシナリオにおいて空間多重化を行うと、伝送アンテナと受信アンテナとの間に複数の並列「チャネル」が創出され、データレートが増大する。「層」又は「伝送層」という用語は、伝送アンテナと受信アンテナとの間の各チャネルを指す。また、「流れ」又は「データの流れ」という用語は、伝送層上で伝送されたデータを指す。特に、ＭＵ−ＭＩＭＯ伝送モードにおいては、全体のセル能力を向上させるために、空間的性質と適切な干渉抑制と受信側処理とを組み合わせることにより、複数のユーザが同一の時間−周波数リソース上の並列な伝送層を共有することができる。
【００２０】
ステップＳ１２０において、概算されたＳＩＮＲが、内側ループリンクアダプテーションによって調整される。
【００２１】
当該技術分野においては、当該技術分野において主流となったものや、将来の実用にむけて開発中のもの等、内側ループリンクアダプテーションのための様々なアルゴリズムが知られている。本発明の実施形態に係るＯＬＬＡ手法は、どのような種類の内側ループリンクアダプテーションとも何ら制限無しに組み合わせて用いることができることに注意されたい。
【００２２】
ステップＳ１３０において、本発明の実施形態に係る外側ループリンクアダプテーションの処理が実行され、各伝送層についてＯＬＬＡで調整したＳＩＮＲが取得される。
【００２３】
上述したとおり、無線通信において、例えば、ＬＴＥ  Ｒｅｌｅａｓｅ  ９及び１０のＴｒａｎｓｍｉｓｓｉｏｎ  Ｍｏｄｅ  ８は、ユーザ機器がＳＵ−ＭＩＭＯ伝送モードとＭＵ−ＭＩＭＯ伝送モードとの間で動的に切り替わることを許容する場合がある。本発明の実施形態に係る外側ループリンクアダプテーションの方法においては、ＳＵ−ＭＩＭＯ伝送モードとＭＵ−ＭＩＭＯ伝送モードとでは別々のＯＬＬＡオフセットを用いて両方の伝送モードのＳＩＮＲオフセットに効果的に追随する。本発明の実施形態に係る外側ループリンクアダプテーションの方法では、ある伝送層のＭＵ−ＭＩＭＯ  ＯＬＬＡオフセットが、この伝送層のＳＵ−ＭＩＭＯ  ＯＬＬＡオフセットと、ユーザ間干渉を示す余剰オフセットと、に基づくことが提案されている。そして、ＳＵ及びＭＵパケットのＡＣＫ／ＮＡＣＫメッセージがＯＬＬＡオフセット更新処理を駆動するために用いられる。本発明の実施形態に係るＯＬＬＡの詳細な処理については、図２〜４を参照しながら説明する。
【００２４】
ステップＳ１４０において、層ごとの実効ＳＩＮＲがＯＬＬＡで調整したＳＩＮＲに基づいて計算される。
【００２５】
セルラー方式通信システムにおいては、ｅＮＢがユーザ機器にＲＢ（Ｒｅｓｏｕｒｃｅ  Ｂｌｏｃｋ）を割り当てる。１つのＲＢは、１つのサブフレームにわたる１群のサブキャリアーを指す。そして、各ユーザ機器は、伝送のための複数のＲＢを割り当てられうる。ｅＮＢは、ユーザ機器の伝送層の数と層ごとの実効ＳＩＮＲとを判別する必要がある。
【００２６】
本発明の実施形態によれば、実効ＳＩＮＲを取得する前に、ＳＩＮＲのＯＬＬＡオフセットを適用しなければならない。１つのユーザ機器に割り当てられた異なるＲＢにおいて、当該ユーザ機器は異なるユーザ機器とペアリングしていることがあり得る。ユーザ間干渉の強さに従って、異なるペアリング方法に依存して異なるＯＬＬＡオフセットがＲＢのＳＩＮＲに適用され、そして、割り当てられたＲＢのこれらＯＬＬＡで調整したＳＩＮＲを実効ＳＩＮＲへマッピングすることができる。当業者であれば、実効ＳＩＮＲがＭＵ−ＭＩＭＯ伝送モードにおけるユーザ機器のペアリング方法を参酌して算出される点が有用であることに注目するであろう。
【００２７】
ステップＳ１５０において、算出された実効ＳＩＮＲがＭＣＳルックアップテーブルへ送られ、伝送のための適切なＭＣＳが発見される。
【００２８】
ステップＳ１６０において、処理が終了する。
【００２９】
図２は、本発明の実施形態に係る外側ループリンクアダプテーションの方法のフローチャートを例示している。
【００３０】
ステップＳ２１０において、ユーザ機器がＳＵ−ＭＩＭＯ伝送モードで動作するのか、あるいはＭＵ−ＭＩＭＯ伝送モードで動作するのかが判別される。
【００３１】
ステップＳ２２０において、ユーザ機器がＳＵ−ＭＩＭＯ伝送モードで動作すると判別された場合には、内側ループリンクアダプテーションで調整したＳＩＮＲにＳＵ−ＭＩＭＯ  ＯＬＬＡオフセットが適用される。
【００３２】
ステップＳ２３０において、ユーザ機器がＭＵ−ＭＩＭＯ伝送モードで動作すると判別された場合には、内側ループリンクアダプテーションで調整したＳＩＮＲにＭＵ−ＭＩＭＯ  ＯＬＬＡオフセットが適用される。
【００３３】
ＳＵ−ＭＩＭＯ  ＯＬＬＡオフセット及びＭＵ−ＭＩＭＯ  ＯＬＬＡオフセットは、ＯＬＬＡオフセット生成モジュールによって決定される。ＭＵ−ＭＩＭＯ  ＯＬＬＡオフセットは、ＳＵ−ＭＩＭＯ  ＯＬＬＡオフセットと、ユーザ間干渉を表す余剰オフセットと、に基づいて決定される。ＳＵ−ＭＩＭＯ  ＯＬＬＡオフセット及び余剰オフセットは、ユーザ機器から報告されたパケットのＡＣＫ／ＮＡＣＫメッセージを受信したことに応答して更新される。ＯＬＬＡオフセット生成モジュールの機能については、図３を参照しながら詳細に説明する。
【００３４】
図３は、本発明の実施形態に係るＯＬＬＡオフセット生成モジュールのブロック図を模式的に例示している。
【００３５】
図３に示すように、参照番号３００はＯＬＬＡオフセット生成モジュールを表す。ＯＬＬＡオフセット生成モジュールは、ＯＬＬＡ更新部３１０と、ＯＬＬＡ記憶部３２０と、ＯＬＬＡ出力部３３０と、を備える。
【００３６】
ＯＬＬＡ記憶部３２０は、ＯＬＬＡオフセットを生成するために用いられるパラメータ及び数値を保持するために用いられる。本発明の実施形態によれば、ＯＬＬＡ記憶部３２０は、各伝送層について、それぞれのＳＵ−ＭＩＭＯ  ＯＬＬＡオフセットと、それぞれの余剰オフセットと、を保持する。ＳＵ−ＭＩＭＯ  ＯＬＬＡオフセットはβｒ,ｒ＝０,１,２,…,Ｌ,余剰オフセットはαｒ,ｒ＝０,１,２,…,Ｌ,と表すことができる。ここで、Ｌはユーザ機器の能力とｅＮＢ構成とに基づいて支持される伝送層の最大数である。具体的には、β０は単一層伝送のＳＵ−ＭＩＭＯ  ＯＬＬＡオフセットであり、βｒ,ｒ＝１,２,…,Ｌ,は、複数の層がある場合においてｒ番目の伝送層に対応するＳＵ−ＭＩＭＯ  ＯＬＬＡオフセットである。同様に、α０は単一層伝送のＭＵ−ＭＩＭＯ伝送モードにおける余剰オフセットであり、αｒ,ｒ＝１,２,…,Ｌ,は複数の層がある場合においてｒ番目の伝送層に対応する余剰オフセットである。
【００３７】
本発明の実施形態によれば、ＯＬＬＡ記憶部３２０は、他のユニットによって利用されるパラメータを保持することができる。実施例の１つでは、ＯＬＬＡ記憶部３２０は、ＯＬＬＡ更新部３１０においてＯＬＬＡオフセットを増加させたり漸減させたりする際のステップサイズＤｓｔｅｐ_ｕｐ、Ｄｓｔｅｐ_ｄｏｗｎを保持してもよい。Ｄｓｔｅｐ_ｕｐ及びＤｓｔｅｐ_ｄｏｗｎは、定数でもよいし、累積ＦＥＲに応答して適応してもよい。他の実施例では、ＯＬＬＡ記憶部３２０は定数Ｃｓｃａｌｅを保持してもよい。Ｃｓｃａｌｅは、出力されたＭＵ−ＭＩＭＯ  ＯＬＬＡオフセットにおける余剰オフセットの重みを調整するためにＯＬＬＡ出力部３３０によって用いられるものであり、詳細に後述する。
【００３８】
ＯＬＬＡ更新部３１０は、ユーザ機器から報告されたパケットのＡＣＫ／ＮＡＣＫメッセージの受信に応答してＳＵ−ＭＩＭＯ  ＯＬＬＡオフセット及び余剰オフセットを更新するために利用される。具体的には、ＯＬＬＡ更新部３１０は、ＡＣＫ／ＮＡＣＫメッセージに応答してＳＵ−ＭＩＭＯ  ＯＬＬＡオフセットβｒ,ｒ＝０,１,２,…,Ｌ,及び余剰オフセットαｒ,ｒ＝０,１,２,…,Ｌ,を更新する。
【００３９】
ここで、図４を参照して、本発明の好ましい実施形態に係るＯＬＬＡ更新部３１０が実行する処理の例を示す。
【００４０】
図４に示すように、ステップＳ４００において処理が開始する。
【００４１】
ステップＳ４１０で、ユーザ機器からのパケットのＡＣＫ／ＮＡＣＫメッセージがｅＮＢにおいて受信される。
【００４２】
ステップＳ４２０で、ＡＣＫ／ＮＡＣＫメッセージを送信したユーザ機器が、ＳＵ−ＭＩＭＯ伝送モードで動作するか、あるいは、ＭＵ−ＭＩＭＯ伝送モードで動作するか、が判別される。
【００４３】
実施例の１つでは、ｅＮＢが、パケットがＳＵ−ＭＩＭＯ伝送モードにあるのか、それともＭＵ−ＭＩＭＯ伝送モードにあるのかを記録にとどめ、パケットに対するＡＣＫ／ＮＡＣＫメッセージを受信すると、ｅＮＢが判別を行い、その後、対応するＯＬＬＡオフセット更新ステップを実行できるような方法で判別を実行することができる。
【００４４】
ユーザ機器がＳＵ−ＭＩＭＯ伝送モードで動作するとステップＳ４２０で判別された場合、処理はステップＳ４３０〜４３４へ進む。
【００４５】
ステップＳ４３０で、ユーザ機器が単一の層で構成されるか、あるいは、複数の層で構成されるか、が判別される。
【００４６】
ユーザ機器が単一の伝送層で構成されると判別された場合、ステップＳ４３１及びステップＳ４３２において、当該ユーザ機器を構成する全ての伝送層のＳＵ−ＭＩＭＯ  ＯＬＬＡオフセットが更新される。具体的には、ステップＳ４３１において、パケットのＡＣＫメッセージをユーザ機器から受信したことに応答して、ＯＬＬＡ記憶部３２０に保持されていた全ての伝送層のＳＵ−ＭＩＭＯ  ＯＬＬＡオフセット、つまりβｒ,ｒ＝０,１,２,…,Ｌ,が、Ｄｓｔｅｐ＿ｕｐだけ増やされる。ステップＳ４３２において、ユーザ機器からパケットのＮＡＣＫメッセージを受信したことに応答して、ＯＬＬＡ記憶部３２０に保持されていた全ての伝送層のＳＵ−ＭＩＭＯ  ＯＬＬＡオフセット、つまりβｒ,ｒ＝０,１,２,…,Ｌ,が、Ｄｓｔｅｐ＿ｄｏｗｎだけ減らされる。
【００４７】
ユーザ機器が複数の伝送層で構成されると判別された場合、ステップＳ４３３及びステップＳ４３４において、ＡＣＫ／ＮＡＣＫメッセージの報告に用いられた伝送層のＳＵ−ＭＩＭＯ  ＯＬＬＡオフセットのみが更新される。具体的には、ステップＳ４３３において、ユーザ機器からパケットのＡＣＫメッセージを受信したことに応答して、ＯＬＬＡ記憶部３２０に保持されていたＡＣＫメッセージの報告に用いられた伝送層のＳＵ−ＭＩＭＯ  ＯＬＬＡオフセット、つまりβｒ,ｒ∈Ｒ,Ｒ＝｛ｒ：ｒ番目の層がＡＣＫされた｝が、Ｄｓｔｅｐ＿ｕｐだけ増やされる。ステップＳ４３４において、ユーザ機器からパケットのＮＡＣＫメッセージを受信したことに応答して、ＯＬＬＡ記憶部３２０に保持されていたＮＡＣＫメッセージの報告に用いられた伝送層のＳＵ−ＭＩＭＯ  ＯＬＬＡオフセット、つまりβｒ,ｒ∈Ｓ,Ｓ＝｛ｒ：ｒ番目の層がＮＡＣＫされた｝がＤｓｔｅｐ＿ｄｏｗｎだけ減らされる。
【００４８】
ユーザ機器がＭＵ−ＭＩＭＯ伝送モードで動作するとステップＳ４２０で判別された場合、処理はステップＳ４４０〜Ｓ４４４へと進む。
【００４９】
ステップＳ４４０において、ユーザ機器が単一の層で構成されるか、あるいは複数の層で構成されるか、が判別される。
【００５０】
ユーザ機器が単一の伝送層で構成されると判別された場合、ステップＳ４４１及びステップＳ４４２において、ユーザ機器を構成する全ての伝送層のＳＵ−ＭＩＭＯ  ＯＬＬＡオフセット及び余剰オフセットが更新される。具体的には、ステップＳ４４１において、ユーザ機器からパケットのＡＣＫメッセージを受信したことに応答して、ＯＬＬＡ記憶部３２０に保持されていた、全ての伝送層のＳＵ−ＭＩＭＯ  ＯＬＬＡオフセット、つまりβｒ,ｒ＝０,１,２,…,Ｌ,と、全ての伝送層の余剰オフセット、つまりαｒ,ｒ＝０,１,２,…,Ｌ,と、が全てＤｓｔｅｐ＿ｕｐだけ増やされる。ステップＳ４４２において、ユーザ機器からパケットのＮＡＣＫメッセージを受信したことに応答して、ＯＬＬＡ記憶部３２０に保持されていた、全ての伝送層のＳＵ−ＭＩＭＯ  ＯＬＬＡオフセット、つまり、βｒ,ｒ＝０,１,２,…,Ｌ,と、全ての伝送層の余剰オフセット、つまり、αｒ,ｒ＝０,１,２,…,Ｌ,と、が全てＤｓｔｅｐ＿ｄｏｗｎだけ減らされる。
【００５１】
ユーザ機器が複数の伝送層で構成されると判別された場合、ステップＳ４４３及びＳ４４４において、ＡＣＫ／ＮＡＣＫメッセージの報告に使われた伝送層の余剰オフセットのみが更新される。具体的には、ステップＳ４４３において、ユーザ機器からパケットのＡＣＫメッセージを受信したことに応答して、ＯＬＬＡ記憶部３２０に保持された、ＡＣＫメッセージが報告された伝送層の余剰オフセット、つまりαｒ、ｒ∈Ｒ、Ｒ＝｛ｒ：ｒ番目がＡＣＫされた｝が、Ｄｓｔｅｐ＿ｕｐだけ増やされる。ステップＳ４４４において、ユーザ機器からパケットのＮＡＣＫメッセージを受信したことに応答して、ＯＬＬＡ記憶部３２０に保持された、ＮＡＣＫメッセージの報告に用いられた伝送層の余剰オフセット、つまりαｒ,ｒ∈Ｓ,Ｓ＝｛ｒ：ｒ番目の層がＮＡＣＫされた｝が、Ｄｓｔｅｐ＿ｄｏｗｎだけ減らされる。
【００５２】
ステップＳ４５０において、処理は終了する。
【００５３】
更新ステップサイズＤｓｔｅｐ＿ｕｐ及びＤｓｔｅｐ＿ｄｏｗｎは、予め定めてＯＬＬＡ記憶部３２０に保持させてもよい。本発明の他の実施例によれば、更新ステップサイズＤｓｔｅｐ＿ｕｐ及びＤｓｔｅｐ＿ｄｏｗｎは次の式を満たすように定義される。
Ｄｓｔｅｐ＿ｄｏｗｎ＝Ｄｓｔｅｐ＿ｕｐ／（１／ＦＥＲ−１）
ここで、ＦＥＲは、Ｆｒａｍｅ  Ｅｒｒｏｒ  Ｒａｔｅの予め決められた値を表す。
【００５４】
図４に示す更新処理によれば、複数の層を用いた伝送において特定の層に対応するオフセットのみが更新される一方、単一の層を用いた伝送において全ての伝送層のオフセットが更新されることが分かる。このようにするのは、単一層伝送の間、関係するユーザ機器には１つの層しか配置されていないにも関わらず、このユーザ機器に生起した時間変動チャネルの揺らぎが、複数の層が配置されていた場合に全ての層に影響するからである。従って、この処理は、単一層伝送の間、ｅＮＢが複数の層のＯＬＬＡオフセットにチャネル条件に正確に追随させ続けることを助ける。単一層伝送の間、ｅＮＢが複数の層のＯＬＬＡオフセットにチャネル条件に正確に追随させ続けることは、ＯＬＬＡの有効性にとって重要なことである。
【００５５】
さらに、図４に示す更新処理によれば、単一層伝送において、ＳＵ−ＭＩＭＯパケットのＡＣＫ／ＮＡＣＫメッセージについては全ての伝送層のＳＵ−ＭＩＭＯ  ＯＬＬＡオフセット、つまりβｒ,ｒ＝０,１,２,…,Ｌ,が更新される一方、ＭＵ−ＭＩＭＯパケットのＡＣＫ／ＮＡＣＫメッセージについては全ての伝送層のＳＵ−ＭＩＭＯ  ＯＬＬＡオフセット、つまりβｒ,ｒ＝０,１,２,…,Ｌ,と、全ての伝送層の余剰オフセット、つまりαｒ,ｒ＝０,１,２,…,Ｌ,と、が両方とも更新されることも分かる。このため、ＳＵ−ＭＩＭＯ伝送モードとＭＵ−ＭＩＭＯ伝送モードとが組み合わされた伝送ピリオドの間、たとえユーザ機器が現在ＭＵ−ＭＩＭＯ伝送モードにおいて動作するとしても、ｅＮＢは、ＭＵ−ＭＩＭＯパケットのＡＣＫ／ＮＡＣＫメッセージに基づいてＳＵ−ＭＩＭＯ  ＯＬＬＡオフセットを更新することができる。従って、ＳＵ−ＭＩＭＯのＯＬＬＡオフセットは、ＭＵ−ＭＩＭＯ伝送ピリオドにおいてさえもなおチャネル変動に追随することができる。このことは、ユーザ機器がＭＵ−ＭＩＭＯ伝送モードからＳＵ−ＭＩＭＯ伝送モードへと切り替わる際にＯＬＬＡオフセットを素早く変換する上で特に重要である。
【００５６】
ここで、図３に戻って、ＯＬＬＡ出力部３３０は、ＯＬＬＡオフセット値と、ＯＬＬＡ記憶部３２０に保持されたパラメータと、に基づいてＳＵ−ＭＩＭＯ及びＭＵ−ＭＩＭＯ伝送モードにおいて用いられるＯＬＬＡオフセット（ｄＢ）を生成する。ここで、単一伝送層のＳＵ−ＭＩＭＯ  ＯＬＬＡオフセットδ０ＳＵは、下記の式（１）で表される。
δ０ＳＵ＝β０                                              （１）
【００５７】
複数の層がある場合、ｒ番目の伝送層に対応するＳＵ−ＭＩＭＯ  ＯＬＬＡオフセットδｒＳＵは、下記の式（２）で表される。
δｒＳＵ＝βｒ,  ｒ＝１,２,…,Ｌ,                              （２）
【００５８】
単一伝送層のＭＵ−ＭＩＭＯ  ＯＬＬＡオフセットδ０ＭＵは、下記の式（３）で表される。
δ０ＭＵ＝α０＋β０                                          （３）
【００５９】
複数の層がある場合、ｒ番目の伝送層に対応するＭＵ−ＭＩＭＯ  ＯＬＬＡオフセットδｒＭＵは、下記の式（４）で表される。
δｒＭＵ＝αｒ＋βｒ,  ｒ＝１,２,…,Ｌ,                          （４）
ここで、Ｌは、ＵＥの能力とｅＮＢ構成とに基づいて支持される伝送層の最大数である。
【００６０】
簡単のため、式（１）及び（２）は、組み合わせて下記の式（５）のように表すことができる。
δｒＳＵ＝βｒ,  ｒ＝０,１,２,…,Ｌ,                             （５）
また、式（３）及び（４）は、組み合わせて下記の式（６）のように表すことができる。
δｒＭＵ＝αｒ＋βｒ,  ｒ＝０,１,２,…,Ｌ,                        （６）
【００６１】
本発明の好ましい実施形態の１つにおいては、ＯＬＬＡ出力部３３０は、対応する伝送層のＭＵ−ＭＩＭＯ  ＯＬＬＡオフセットを、ＲＢ上の共にスケジュールされたユーザ機器の直交性を示す指標で余剰オフセットを調整することにより決定することができる。例えば、共にスケジュールされたユーザ機器のビーム形成ベクトルの直交性指標γｒを導入して余剰オフセットαｒを調整し、調整されたＭＵ−ＭＩＭＯ  ＯＬＬＡオフセットがＭＵ−ＭＩＭＯ伝送モードにおける動的ユーザ機器ペアリングによって引き起こされた可変的ユーザ間干渉を反映するようにしてもよい。
【００６２】
好ましくは、定数を用いて余剰オフセットをさらに補正することにより、余剰オフセットがＳＵ−ＭＩＭＯ  ＯＬＬＡオフセット以上とならないことを保証してもよい。
【００６３】
好ましい実施形態によれば、式（６）は次のように最適化できる。
δｒＭＵ＝Ｃｓｃａｌｅ・γｒ・αｒ＋βｒ,  ｒ＝０,１,２,…,Ｌ,      （７）
ここで、Ｌは、ユーザ機器の能力とｅＮＢ構成とに基づいて支持される伝送層の最大数である。γｒは共にスケジュールされたユーザ機器のビーム形成ベクトルの直交性指標であり、ユーザ間干渉の強度測定として用いられうる。Ｃｓｃａｌｅは、０＜Ｃｓｃａｌｅ・γｒ≦１を満たす定数である。
【００６４】
本発明の好ましい実施形態の一実施例において、γｒは、ｅＮＢのスケジューラのような、ｅＮＢにおけるユーザ機器ペアリングモジュールによってＯＬＬＡ出力部３３０へ供給されてもよい。
【００６５】
同一のＲＢにＭ個のユーザ機器が共にスケジュールされると仮定すると、当該ユーザ機器について、
【数１】
0005766365.tif 000002
ここで、Ｖ０，ｒ及びＶｍ，ｒは、それぞれ、当該ユーザ機器のｒ番目の層の正規化ビーム形成重みと、ＲＢ上のｍ番目の共にスケジュールされたユーザ機器のｒ番目の層の正規化ビーム形成重みと、である。簡単のためここではＲＢ指標が省略されていることに注意されたい。
【００６６】
本発明の好ましい実施形態の一実施例において、Ｃｓｃａｌｅを予め選びＯＬＬＡ記憶部３２０に保持することができる。例えば、Ｃｓｃａｌｅは次の式を満たすように選ぶことができる。
Ｃｓｃａｌｅ＝Ｍ／Ｔｔｈｒｅｓｈｏｌｄ                          （９）
ここで、Ｍは同じリソース上の共にスケジュールされたユーザ機器の数である。また、Ｔｔｈｒｅｓｈｏｌｄは、２つのユーザ機器の間のビーム形成重み相関についての閾値である。
【００６７】
‖Ｖｉ，ｒＶｊ，ｒ‖２＜Ｔｔｈｒｅｓｈｏｌｄが満たされた場合のみ、ＵＥｉ及びＵＥｊが同じＲＢに共にスケジュールされる。従って、γｒの最大値Ｔｔｈｒｅｓｈｏｌｄ・Ｍは、共にスケジュールされたＭ個のユーザ機器の間の電力配分を説明する。
【００６８】
例えば、ＬＴＥ  Ｒｅｌｅａｓｅ  ９のＴｒａｎｓｍｉｓｓｉｏｎ  Ｍｏｄｅ  ８において、Ｍ＝２、Ｔｔｈｒｅｓｈｏｌｄ＝０．３であると指定されている。従って、Ｃｓｃａｌｅ＝２／０．３＝６．６７である。この例では、下記の理由によりＣｓｃａｌｅが選ばれたことが見てとれる。
【００６９】
１．Ｖ０，ｒ及びＶ１，ｒがまず正規化され、ＢＦ相関閾値０．３を用いてＢＦ重みが十分に直交的でないユーザ機器を排除する。
【００７０】
２．次にＶ０，ｒ及びＶ１，ｒは、２つの共にスケジュールされたＭＵ−ＭＩＭＯ  ユーザ機器の間の電力配分を説明するために、１／ｓｑｒｔ（２）によりスケーリングされる。
【００７１】
当業者は、上述した本発明の好ましい実施形態が、余剰オフセットを補正することによりＭＵ−ＭＩＭＯ  ＯＬＬＡオフセットを最適化する方法を例示するための非制限的な例を提供することを意図したものであることに気づくであろう。しかしながら、当業者は、実用に応じて、上述したもの以外の規模最適化要素を１つ以上選んでもよいし、あるいはいかなる規模最適化要素も用いないことを選択してもよい。従って、本発明の好ましい実施形態において記述された特徴は、解決策全体にとって不可欠なものではなく、選択的、及び／又は、好ましいものとして見なされるべきである。
【００７２】
図５は、本発明の実施形態に係るｅＮＢ装置のブロック図を模式的に例示している。
【００７３】
図５に示すように、参照番号５００は、本発明の実施形態に係るｅＮＢ装置を表す。ｅＮＢ装置は、内側ループリンクアダプテーション（ＩＬＬＡ）モジュール５１０と、外側ループリンクアダプテーション（ＯＬＬＡ）モジュール５２０と、変調符号化モジュール５３０と、スケジューリングモジュール５４０と、を備える。
【００７４】
ＩＬＬＡモジュール５１０は、ユーザ機器から報告されたＣＱＩのようなチャネル品質の定量化された指標に基づいて、ユーザ機器に割り当てられた各ＲＢについてユーザ機器固有のＳＩＮＲを概算するように構成される。ＩＬＬＡモジュール５１０は、概算されたＳＩＮＲを調整するために内側ループリンクアダプテーションを行う。
【００７５】
ＯＬＬＡモジュール５２０は、本発明の実施形態に係る外側ループリンクアダプテーションを行い、各伝送層のＯＬＬＡで調整したＳＩＮＲを取得するように構成される。ＯＬＬＡモジュール５２０の動作例が図２に示されている。ＯＬＬＡモジュール５２０は、ユーザ機器がＳＵ−ＭＩＭＯ伝送モードなのかＭＵ−ＭＩＭＯ伝送モードなのかを判別する。判別の結果に応じて、ＯＬＬＡモジュール５２０は、ＯＬＬＡオフセット生成モジュール３００によって生成されたＳＵ−ＭＩＭＯ  ＯＬＬＡオフセット又はＭＵ−ＭＩＭＯ  ＯＬＬＡオフセットをＩＬＬＡモジュール５１０によって調整されたＳＩＮＲに対してそれぞれ適用する。
【００７６】
本発明の実施形態に係るＯＬＬＡオフセット生成モジュール３００は、図３との関連において上述されている。図４に例示された処理によれば、例えば、ＯＬＬＡオフセット生成モジュール３００において、ＭＵ−ＭＩＭＯ  ＯＬＬＡオフセットδｒＭＵは、ＳＵ−ＭＩＭＯ  ＯＬＬＡオフセットδｒＳＵ＝βｒと、ユーザ間干渉を表す余剰オフセットαｒと、に基づいて決定され、ＳＵ−ＭＩＭＯ  ＯＬＬＡオフセットβｒ及び余剰オフセットαｒは、当該ユーザ機器から報告されたパケットのＡＣＫ／ＮＡＣＫメッセージを受信したことに応答して更新される。本発明の好ましい実施形態によれば、余剰オフセットαｒを、ＲＢに共にスケジュールされたユーザ機器の直交性を示す指標によって調整することができる。例えば、共にスケジュールされたユーザ機器のビーム形成ベクトルの直交性指標γｒをスケジューリングモジュール５４０からＯＬＬＡモジュール５２０のＯＬＬＡオフセット生成モジュール３００へと供給し、余剰オフセットαｒを調整することができる。好ましくは、余剰オフセットαｒを定数によってさらに調整することによって、余剰オフセットがＳＵ−ＭＩＭＯ  ＯＬＬＡオフセットよりも大きくならないことを保証してもよい。従って、好ましい実施形態によれば、対応する伝送層のＭＵ−ＭＩＭＯ  ＯＬＬＡオフセットδｒＭＵは、
δｒＭＵ＝Ｃｓｃａｌｅ・γｒ・αｒ＋βｒ,  ｒ＝０,１,２,…,Ｌ,
と表せる。ここで、Ｌは、ユーザ機器の能力とｅＮＢ構成とに基づいて支持される伝送層の最大数である。γｒは、共にスケジュールされたユーザ機器のビーム形成ベクトルの直交性指標であり、ユーザ間干渉の強度測定として用いることができる。Ｃｓｃａｌｅは、０＜Ｃｓｃａｌｅ・γｒ≦１を満たす定数である。
【００７７】
ＩＬＬＡモジュール５１０は、ＯＬＬＡモジュール５２０からのＯＬＬＡで調整したＳＩＮＲに基づいて実効ＳＩＮＲを計算するように構成される。そして、伝送に適したＭＣＳがＭＣＳルックアップテーブルから決定され、変調符号化モジュール５３０で利用される。
【００７８】
ここで、ｅＮＢ装置５００は、本発明の実施形態に最も関係のあるモジュール及び構成要素と共に説明されている。しかしながら、当業者は、ｅＮＢ装置５００がアンテナ、トランシーバー（送信機（ＴＸ）及び受信機（ＲＸ）を備える）、１以上の汎用コンピュータといった処理装置、特殊用途コンピュータ、マイクロプロセッサ、デジタル信号プロセッサ（ＤＳＰｓ）、及びマルチコア・プロセッサ・アーキテクチャに基づくプロセッサ、ローカル技術環境に適合可能で任意の適切なデータ蓄積技術を用いて実装できる任意の種類の記憶モジュール等を含む、セルラー方式通信の機能を実行するその他のモジュール及び構成要素も備えることができることに気づくであろう。これらのモジュール又は構成要素は、当該技術分野において良く知られているので、簡潔のため説明は省略する。
【００７９】
本発明の実施形態に係るｅＮＢにおけるリンクアダプテーション処理を、図１、２及び４を参照して詳細に描写してきた。上記の描写は例を示すものに過ぎず、本発明を限定する意図がないことに注意されたい。本発明の他の実施形態においては、この方法はより多くの、あるいはより少ない、あるいは異なるステップを含んでもよく、ステップに番号を付したのは描写をより簡潔かつ明瞭にするためのものに過ぎず、各ステップ間のシークエンスを厳密に制限するものではなく、ステップのシークエンスは描写と異なってもよい。例えば、ある実施形態では、上述の１又はそれ以上の選択的ステップが省略されてもよい。各ステップの具体的な実施形態は描写と異なってもよい。これら全てのバリエーションが本発明の精神及び範囲に属する。
【００８０】
一般的に、種々の実施形態が、ハードウェアや特殊用途回路、ソフトウェア、論理、及びこれらの任意の組合せにおいて実装されうる。例えば、一部の側面がハードウェアに実装される一方、他の側面は制御装置、マイクロプロセッサ、又はその他のコンピューティングデバイスによって実行されうるファームウェア又はソフトウェアに実装されてもよいが、本発明はこれに限定されるものではない。本発明の実施形態の種々の観点をブロック図又はシグナル図として例示又は説明することができるが、ここで描写されたこれらのブロック、装置、システム、技術、又は方法は、非限定的な例として、ハードウェア、ソフトウェア、ファームウェア、特殊用途回路又は論理、汎用ハードウェア又は制御装置又はその他のコンピューティングデバイス、又はこれらの組合せにおいて実装されうることは明らかである。
【００８１】
このため、本発明の実施形態の少なくともいくつかの側面は、集積回路チップ及びモジュールのような種々の構成要素において実行されうることに注目されたい。当該技術分野においてよく知られているように、集積回路の設計は概して高度に自動化されたプロセスである。
【００８２】
本発明は、ここで描写された方法を実装可能な全ての特徴を備え、コンピュータシステムにロードされると当該方法を実現するコンピュータプログラムによって具現してもよい。
【００８３】
本発明を、好ましい実施形態を参照しつつ、具体的に例示し説明してきた。当業者には、本発明の精神と範囲を逸脱することなく形態及び細部に対する種々の変更が可能であることが理解されるであろう。
【００８４】
（付記１）
ユーザ機器がＳＵ−ＭＩＭＯ伝送モードで動作するか、あるいはＭＵ−ＭＩＭＯ伝送モードで動作するかを判別することと、
前記ユーザ機器が前記ＳＵ−ＭＩＭＯ伝送モードで動作すると判別されたことに応答して、ＳＵ−ＭＩＭＯ  ＯＬＬＡオフセットを、内側ループリンクアダプテーションによって調整された信号対干渉及びノイズ比率に適用することと、
前記ユーザ機器が前記ＭＵ−ＭＩＭＯ伝送モードで動作すると判別されたことに応答して、ＭＵ−ＭＩＭＯ  ＯＬＬＡオフセットを、内側ループリンクアダプテーションによって調整された信号対干渉及びノイズ比率に適用することと、
を含み、
前記ＭＵ−ＭＩＭＯ  ＯＬＬＡオフセットは、前記ＳＵ−ＭＩＭＯ  ＯＬＬＡオフセットとユーザ間干渉を示す余剰オフセットとに基づいており、
前記ＳＵ−ＭＩＭＯ  ＯＬＬＡオフセットと前記余剰オフセットとは、前記ユーザ機器から報告されたパケットのＡＣＫ／ＮＡＣＫメッセージの受信に応答して更新される、
無線通信システムにおけるリンクアダプテーションの方法。
【００８５】
（付記２）
各伝送層について、それぞれＳＵ−ＭＩＭＯ  ＯＬＬＡオフセットと余剰オフセットとを保持することをさらに含む、
付記１に記載の方法。
【００８６】
（付記３）
前記ＳＵ−ＭＩＭＯ  ＯＬＬＡオフセットと前記余剰オフセットとを更新することが、
前記ユーザ機器が前記ＳＵ−ＭＩＭＯ伝送モードで動作すると判別されたことに応答して、
前記ユーザ機器が単一の伝送層で構成されるか、あるいは複数の伝送層で構成されるかを判別することと、
前記ユーザ機器が単一の伝送層で構成されると判別されたことに応答して、前記ユーザ機器を構成する全ての伝送層のＳＵ−ＭＩＭＯ  ＯＬＬＡオフセットを更新することと、
前記ユーザ機器が複数の伝送層で構成されると判別されたことに応答して、前記ＡＣＫ／ＮＡＣＫメッセージの報告に用いられた伝送層のＳＵ−ＭＩＭＯ  ＯＬＬＡオフセットを更新することと、
をさらに含む、
付記２に記載の方法。
【００８７】
（付記４）
前記ＳＵ−ＭＩＭＯ  ＯＬＬＡオフセットと前記余剰オフセットとを更新することが、
前記ユーザ機器が前記ＭＵ−ＭＩＭＯ伝送モードで動作すると判別されたことに応答して、
前記ユーザ機器が単一の伝送層で構成されるか、あるいは複数の伝送層で構成されるかを判別することと、
前記ユーザ機器が単一の伝送層で構成されると判別されたことに応答して、前記ユーザ機器を構成する全ての伝送層のＳＵ−ＭＩＭＯ  ＯＬＬＡオフセットと余剰オフセットとを更新することと、
前記ユーザ機器が複数の伝送層で構成されると判別されたことに応答して、前記ＡＣＫ／ＮＡＣＫの報告に用いられた伝送層の余剰オフセットを更新することと、
をさらに含む、
付記２に記載の方法。
【００８８】
（付記５）
前記ＳＵ−ＭＩＭＯ  ＯＬＬＡオフセットと前記余剰オフセットとを更新することが、
前記ユーザ機器から報告されたＡＣＫを受信したことに応答して、少なくとも１つのオフセットを、第１更新ステップサイズだけ更新されるように増加させることと、
前記ユーザ機器から報告されたＮＡＣＫを受信したことに応答して、少なくとも１つのオフセットを、第２更新ステップサイズだけ更新されるように減少させることと、
をさらに含む、
付記１から４の何れか１つに記載の方法。
【００８９】
（付記６）
前記第１及び第２更新ステップサイズＤｓｔｅｐ＿ｕｐ及びＤｓｔｅｐ＿ｄｏｗｎは、次の式を満たし、
Ｄｓｔｅｐ＿ｄｏｗｎ＝Ｄｓｔｅｐ＿ｕｐ／（１／ＦＥＲ−１）
ここで、ＦＥＲは予め決められたフレームエラーレート（Ｆｒａｍｅ  Ｅｒｒｏｒ  Ｒａｔｅ）の値である、
付記５に記載の方法。
【００９０】
（付記７）
前記余剰オフセットを、リソースブロックに共にスケジュールされたユーザ機器の直交性を示す指標によって調整すること、
をさらに含む、
付記１に記載の方法。
【００９１】
（付記８）
前記リソースブロックに共にスケジュールされたユーザ機器の直交性を示す指標は、共にスケジュールされたユーザ機器のビーム形成ベクトルの直交性指標γｒであり、
【数２】
0005766365.tif 000003
ここで、Ｍは同一のリソースブロックに共にスケジュールされたユーザ機器の数であり、Ｖ０，ｒ及びＶｍ，ｒは、それぞれ、当該ユーザ機器のｒ番目の層の正規化ビーム形成重みと、リソースブロック上のｍ番目の共にスケジュールされたユーザ機器のｒ番目の層の正規化ビーム形成重みと、である、
付記７に記載の方法。
【００９２】
（付記９）
前記余剰オフセットが前記ＳＵ−ＭＩＭＯ  ＯＬＬＡオフセットよりも大きくならないことを保証するように前記余剰オフセットを定数で調整すること、
をさらに含む、
付記６に記載の方法。
【００９３】
（付記１０）
前記定数Ｃｓｃａｌｅは、次の式で決定され、
Ｃｓｃａｌｅ＝Ｍ／Ｔｔｈｒｅｓｈｏｌｄ
ここで、Ｍは同一のリソース上に共にスケジュールされたユーザ機器の数であり、Ｔｔｈｒｅｓｈｏｌｄは２つのユーザ機器間のビーム形成重み相関の閾値である、
付記９に記載の方法。
【００９４】
（付記１１）
ＯＬＬＡで調整したＳＩＮＲに基づいて実効ＳＩＮＲを計算することと、
前記実効ＳＩＮＲに基づいて変調符号化方法を決定することと、
をさらに含む、
付記１に記載の方法。
【００９５】
（付記１２）
ユーザ機器がＳＵ−ＭＩＭＯ伝送モードで動作するか、あるいはＭＵ−ＭＩＭＯ伝送モードで動作するかを判別する手段と、
前記ユーザ機器が前記ＳＵ−ＭＩＭＯ伝送モードで動作すると判別されたことに応答して、ＳＵ−ＭＩＭＯ  ＯＬＬＡオフセットを、内側ループリンクアダプテーションによって調整された信号対干渉及びノイズ比率に適用する手段と、
前記ユーザ機器が前記ＭＵ−ＭＩＭＯ伝送モードで動作すると判別されたことに応答して、ＭＵ−ＭＩＭＯ  ＯＬＬＡオフセットを、内側ループリンクアダプテーションによって調整された信号対干渉及びノイズ比率に適用する手段と、
を備え、
前記ＭＵ−ＭＩＭＯ  ＯＬＬＡオフセットは、前記ＳＵ−ＭＩＭＯ  ＯＬＬＡオフセットとユーザ間干渉を示す余剰オフセットとに基づいており、
前記ユーザ機器から報告されたパケットのＡＣＫ／ＮＡＣＫメッセージの受信に応答して前記ＳＵ−ＭＩＭＯ  ＯＬＬＡオフセットと前記余剰オフセットとを更新する手段をさらに備える、
無線通信システムにおけるリンクアダプテーション装置。
【００９６】
（付記１３）
各伝送層について、それぞれＳＵ−ＭＩＭＯ  ＯＬＬＡオフセットと余剰オフセットとを保持する手段をさらに備える、
付記１２に記載の装置。
【００９７】
（付記１４）
前記ＳＵ−ＭＩＭＯ  ＯＬＬＡオフセットと前記余剰オフセットとを更新する手段が、
前記ユーザ機器が前記ＳＵ−ＭＩＭＯ伝送モードで動作すると判別されたことに応答して、
前記ユーザ機器が単一の伝送層で構成されるか、あるいは複数の伝送層で構成されるかを判別し、
前記ユーザ機器が単一の伝送層で構成されると判別されたことに応答して、前記ユーザ機器を構成する全ての伝送層のＳＵ−ＭＩＭＯ  ＯＬＬＡオフセットを更新し、
前記ユーザ機器が複数の伝送層で構成されると判別されたことに応答して、前記ＡＣＫ／ＮＡＣＫメッセージの報告に用いられた伝送層のＳＵ−ＭＩＭＯ  ＯＬＬＡオフセットを更新するように構成された、
付記１３に記載の装置。
【００９８】
（付記１５）
前記ＳＵ−ＭＩＭＯ  ＯＬＬＡオフセットと前記余剰オフセットとを更新する手段が、
前記ユーザ機器が前記ＭＵ−ＭＩＭＯ伝送モードで動作すると判別されたことに応答して、
前記ユーザ機器が単一の伝送層で構成されるか、あるいは複数の伝送層で構成されるかを判別し、
前記ユーザ機器が単一の伝送層で構成されると判別されたことに応答して、前記ユーザ機器を構成する全ての伝送層のＳＵ−ＭＩＭＯ  ＯＬＬＡオフセットと前記余剰オフセットとを更新し、
前記ユーザ機器が複数の伝送層で構成されると判別されたことに応答して、前記ＡＣＫ／ＮＡＣＫの報告に用いられた伝送層の余剰オフセットを更新するように構成された、
付記１３に記載の装置。
【００９９】
（付記１６）
前記ＳＵ−ＭＩＭＯ  ＯＬＬＡオフセットと前記余剰オフセットとを更新する手段が、
前記ユーザ機器から報告されたＡＣＫを受信したことに応答して、少なくとも１つのオフセットを、第１更新ステップサイズだけ更新されるように増加させ、
前記ユーザ機器から報告されたＮＡＣＫを受信したことに応答して、少なくとも１つのオフセットを、第２更新ステップサイズだけ更新されるように減少させるように構成された、
付記１２から１５の何れか１つに記載の装置。
【０１００】
（付記１７）
前記第１及び第２更新ステップサイズＤｓｔｅｐ＿ｕｐ及びＤｓｔｅｐ＿ｄｏｗｎは、次の式を満たし、
Ｄｓｔｅｐ＿ｄｏｗｎ＝Ｄｓｔｅｐ＿ｕｐ／（１／ＦＥＲ−１）
ここで、ＦＥＲは予め決められたフレームエラーレート（Ｆｒａｍｅ  Ｅｒｒｏｒ  Ｒａｔｅ）の値である、
付記１６に記載の装置。
【０１０１】
（付記１８）
前記余剰オフセットを、リソースブロックに共にスケジュールされたユーザ機器の直交性を示す指標によって調整する手段をさらに備える、
付記１２に記載の装置。
【０１０２】
（付記１９）
前記リソースブロックに共にスケジュールされたユーザ機器の直交性を示す指標は、共にスケジュールされたユーザ機器のビーム形成ベクトルの直交性指標γｒであり、
【数３】
0005766365.tif 000004
ここで、Ｍは同一のリソースブロックに共にスケジュールされたユーザ機器の数であり、Ｖ０，ｒ及びＶｍ，ｒは、それぞれ、当該ユーザ機器のｒ番目の層の正規化ビーム形成重みと、リソースブロック上のｍ番目の共にスケジュールされたユーザ機器のｒ番目の層の正規化ビーム形成重みと、である、
付記１８に記載の装置。
【０１０３】
（付記２０）
前記余剰オフセットが前記ＳＵ−ＭＩＭＯ  ＯＬＬＡオフセットよりも大きくならないことを保証するように前記余剰オフセットを定数で調整する手段をさらに備える、
付記１７に記載の装置。
【０１０４】
（付記２１）
前記定数Ｃｓｃａｌｅは、次の式で決定され、
Ｃｓｃａｌｅ＝Ｍ／Ｔｔｈｒｅｓｈｏｌｄ
ここで、Ｍは同一のリソース上に共にスケジュールされたユーザ機器の数であり、Ｔｔｈｒｅｓｈｏｌｄは２つのユーザ機器間のビーム形成重み相関の閾値である、
付記２０に記載の装置。
【０１０５】
（付記２２）
ＯＬＬＡで調整したＳＩＮＲに基づいて実効ＳＩＮＲを計算する手段と、
前記実効ＳＩＮＲに基づいて変調符号化方法を決定する手段と、
をさらに備える、
付記１２に記載の装置。
【０１０６】
（付記２３）
少なくとも１つのプロセッサと、
コンピュータプログラムコードを含む少なくとも１つのメモリと、
を備え、
少なくとも１つのメモリと前記コンピュータプログラムコードとは、少なくとも１つの前記プロセッサと共に、付記１〜１１の何れか１つに記載のリンクアダプテーションの方法を実行するように構成された、
無線通信システムにおける基地局。
【０１０７】
（付記２４）
付記２３に記載の基地局を備える、
無線通信システム。
【図１】
0005766365.tif 000005
【図２】
0005766365.tif 000006
【図３】
0005766365.tif 000007
【図４】
0005766365.tif 000008
【図５】
0005766365.tif 000009